(57)【要約】【課題】部屋の形状や寸法の仕様変更に容易に対応できる防水構造を提供する。【解決手段】床面Ｆに防水床材１０を設置し、下地壁面Ｗと防水床材１０との隙間を覆うように防水材５を配置し、防水材５の立ち上げ部５ｂを下地壁面Ｗと壁仕上げ材３との間に挟んで取り付け、排水案内部５ａを防水床材１０の内側領域に達するよう位置させる。防水材５は、連結可能な直線部材５０と隅部材５１（５２）とから構成する。また防水材５の直線部材５０と隅部材５１（５２）との重ね合せ領域に排水通路を形成する。連結可能な直線部材と隅部材とを組み合わせて構成したから、施工しようとする部屋の大きさや形状の仕様が様々に異なっていても、少ない種類の部材で対応可能であり、現場での仕様変更にも容易に対処できる。【選択図】      図１
2005240336.tif 000002
【特許請求の範囲】
【請求項１】
下地壁面で囲まれた空間内に構築される部屋に防水構造を構築するのに用いる防水材であって、当該防水材は、連結可能な直線部材と隅部材とから構成され、各直線部材及び隅部材は、下地壁面とその表面に装着される壁仕上げ材との間に配置される立ち上げ部と、床面に設置される防水床材の内側領域に達するよう位置されている排水案内部とを備えていることを特徴とする防水材。
【請求項２】
前記防水材は、直線部材と隅部材とをそれぞれの端部を重ね合わせて連結するように構成され、直線部材と隅部材との重ね合せ領域に、排水通路が形成されるように設定されている請求項１に記載の防水材。
【請求項３】
前記防水材は、直線部材と、隅部材と、直線部材と隅部材それぞれの端部を連結する連結材とから構成され、上記連結材は、下地壁面と壁仕上げ材との間に配置される立ち上げ部と、防水床材へ向かう下り勾配を有する排水案内部とを備えている請求項１に記載の防水材。
【請求項４】
前記防水材における直線部材又は隅部材と、前記連結材との接合部分に、排水通路が形成されるように設定した請求項３に記載の防水材。
【請求項５】
下地壁面で囲まれた空間内に構築される部屋における防水構造であって、前記空間の床面に防水床材が設置され、前記下地壁面と防水床材との隙間を覆うように請求項１乃至４のいずれかに記載する防水材が配置され、当該防水材の直線部材及び隅部材は、上端側に形成した立ち上げ部が前記下地壁面とその表面に装着した壁仕上げ材との間に挟まれて取り付けられ、前記排水案内部が前記防水床材の内側領域に達するよう位置されていることを特徴とする防水床構造。
【発明の詳細な説明】
【技術分野】
【０００１】
本発明は、浴室やシャワー室など、湯水を使用する部屋における床と壁との間を防水構造にするための技術に関する。
【背景技術】
【０００２】
躯体壁や壁下地材等から成る下地壁面によって囲まれた部屋内に、浴室やシャワー室を施工する手段として、基礎等の上に防水パン等の防水床材を設置して床を構築し、下地壁面に壁パネル等の壁仕上げ材を装着して壁を構築する手法を採用することがある。この場合、下地壁面と防水床材との間に生じる隙間をどのように処理するかが、防水構造上、非常に重要である。
【０００３】
特許文献１では、部屋の内寸法に合わせて切断し寸法調整したバス床本体（床材）を床下地の上に設置し、このバス床本体の端縁部に壁下地に沿って防水巾木を固定する。コーナー部にはコーナージョイントを配置し、その水切り材挿入部に、防水巾木の端部を挿入して連結する。そして壁パネルを、防水巾木の上部に設けた挿入凹所に挿入して壁下地に取り付ける。またバス床本体と防水巾木との間に防水パテを充填する、という浴室の床構造が提案されている。
【特許文献１】実開昭６０−１７２９０３号公報
【発明の開示】
【発明が解決しようとする課題】
【０００４】
特許文献１に記載される浴室の床構造は、壁下地と、床を構成するバス床本体との間の隙間を閉塞するために、防水巾木とコーナージョイントとを用いている。これらは構造が複雑な部材なので、施工コストを増大させる。また、浴室を施工しようとする部屋の内寸法に合わせてバス床本体や防水巾木を切断する作業が必要であり、防水巾木をバス床本体に固定する作業に手間を要するので、施工能率があまり良いとは言えない。さらに、バス床本体と防水巾木との間の防水性能は、施工現場における防水パテの充填作業の仕上がり具合による。つまり、作業者の熟練度に依存するところが大きいから、防水性能が必ずしも保証されないという欠点があった。
【課題を解決するための手段】
【０００５】
前記従来の問題点に鑑み、本発明は、下地壁面で囲まれた空間内に構築される部屋に防水構造を構築するための新規な手段を提供する。本発明が採用する防水材の特徴とするところは、連結可能な直線部材と隅部材とから構成され、各直線部材及び隅部材は、下地壁面とその表面に装着される壁仕上げ材との間に配置される立ち上げ部と、床面に設置される防水床材の内側領域に達するよう位置されている排水案内部とを備えている点にある。
【０００６】
防水材の材質には、金属板・合成樹脂板・合成樹脂シートなど、比較的厚みが薄く、強度と耐水性に優れ、透水性・吸水性を持たず、好ましくは撥水性を有するものが採用される。
【０００７】
前記防水材を、直線部材と隅部材それぞれの端部を重ね合わせて連結するように構成した場合、直線部材と隅部材との重ね合せ領域に、排水通路が形成されるように設定することが好ましい。
【０００８】
また前記防水材を、直線部材と、隅部材と、直線部材と隅部材それぞれの端部を連結する連結材とから構成し、上記連結材を、下地壁面と壁仕上げ材との間に配置される立ち上げ部と、床面に設置される防水床材の内側領域に達するよう位置されている排水案内部とを備えるものとすることができる。
【０００９】
この場合、前記防水材における直線部材又は隅部材と、前記連結材との接合部分に、排水通路が形成されるように設定することが望ましい。
【００１０】
本発明は、前記防水材を用いて、下地壁面で囲まれた空間内に構築される部屋における防水構造を提供するものであって、その特徴とするところは、前記空間の床面に防水床材が設置され、前記下地壁面と防水床材との隙間を覆うように前述の防水材が配置され、当該防水材の直線部材及び隅部材は、上端側に形成した立ち上げ部が前記下地壁面とその表面に装着した壁仕上げ材との間に挟まれて取り付けられ、前記排水案内部が前記防水床材の内側領域に達するよう位置されていることである。
【００１１】
前記防水構造は、土間や基礎等の床の周囲が、躯体壁や壁下地材などから成る下地壁面によって囲まれた部屋に、浴室やシャワー室を施工する場合に適用されるものである。防水床材は、ＦＲＰ製の防水パンが代表的であるが、金属製・合成樹脂製の床材も採用可能である。壁仕上げ材としては、タイルパネル・金属パネル・合成樹脂パネル・ＦＲＰパネルなどが挙げられる。防水材を下地壁面及び防水床材に取り付ける手段は、接着剤が最も簡便である。
【発明の効果】
【００１２】
本発明の請求項１に係る防水材は、連結可能な直線部材と隅部材とを組み合わせて構成したから、施工しようとする部屋の大きさや形状の仕様が様々に異なっていても、少ない種類の部材で対応することが可能である。従って、現場における部屋の形状・寸法の仕様変更にも容易に対処できる。また、直線部材及び隅部材はいずれも、立ち上げ部と排水案内部とを備えればよいから、構成を簡単にできる。
【００１３】
本発明の請求項２に係る防水材は、直線部材と隅部材とをそれぞれの端部を重ね合わせて連結するように構成したので、重ね合わせ量を調節することにより、施工現場で寸法誤差が生じても容易に対処できる。また、直線部材と隅部材との重ね合せ領域に、排水通路を形成したので、この重ね合わせ領域に浸入した水を確実に排出できる。
【００１４】
本発明の請求項３に係る防水材は、直線部材と隅部材とを連結材で連結する構成を採用したから、連結に要する構造は連結材に設ければよいので、直線部材及び隅部材の構成を簡素化することが可能である。
【００１５】
本発明の請求項４に係る防水材は、直線部材又は隅部材と、連結材との接合部分に、排水通路を形成したので、上記接合部分に浸入した水の排出が確実である。また、形状が複雑化しやす排水通路を連結材側に設けることで、直線部材及び隅部材の構成が複雑化するのを回避できる。
【００１６】
前記防水材を用いた本発明に係る防水構造は、防水材の立ち上げ部を下地壁面とその表面に装着される壁仕上げ材との間に配置し、排水案内部を防水床材の内側領域に達するよう位置させればよいから、取付作業が簡単である。防水材により、室内で使用した水や、下地壁面と壁仕上げ材との間で発生した水を確実に防水床材上へ導いて、防水床材の下方空間へ浸入するのを阻止できるから、防水床材の下方空間が多湿環境になったり、基礎等の床面が濡れたりするのが防止される。
【００１７】
また、下地壁面とその表面に装着する壁仕上げ材との間に隙間を形成しない構成を採用できるから、施工する浴室等の空間容積を大きく設定できる。さらに、防水材の下端部の長さを十分に確保しておけば、寸法の小さい防水床材を使用しても、下地壁面と防水床材との間の隙間を覆って防水機能を確保することが出来る。これは例えば、浴室等を施工しようとする部屋の搬入口の寸法関係で、搬入可能な防水床材の寸法が制限される場合に有利である。しかも本発明の構造は、寸法の小さい防水床材を使用しても、壁仕上げ材の位置を変更する必要がないから、構築される部屋の容積はほとんど縮小されない。
【発明を実施するための最良の形態】
【００１８】
図１に示すように、本発明は、周囲が躯体壁や壁下地材２などから成る下地壁面Ｗで囲まれた部屋内に、浴室Ｙやシャワー室等を構築する場合に適用される。本発明に係る防水構造を施工するには、まず、同図（Ａ）に示すように、基礎１等から成る床面Ｆ上に防水パン等から成る防水床材１０を配置する。該防水床材１０は、平坦部１０ａと、その周縁部に形成した起立部１０ｂとから構成される。
【００１９】
続いて、下地壁面Ｗと防水床材１０との間の隙間を覆うように、本発明に係る防水材５を配置する。本例の防水材５は、金属板・合成樹脂板・合成樹脂シートなどで製作した直線部材５０と隅部材５１，５２との組み合わせから構成される（図２参照）。すなわち、図１（Ｂ）に示す如く、部屋（下地壁面Ｗ）の平面形状に合わせて、直線部分には直線部材５１を、隅部には隅部材５１，５２を配置し、これらを連結する。また図示する例の如く、部屋の平面形状が内隅部と外隅部とを有している場合には、図２（Ａ）に示すような内隅部材５１と共に、同図（Ｃ）に示すような外隅部材５２が用意される。
【００２０】
防水材５を構成する直線部材５０、内隅部材５１、及び、外隅部材５２はいずれも、上端側に立ち上げ部５ｂが設けられ、下端側には防水床材１０へ向かう下り勾配を持った排水案内部５ａが形成されている。また図２（Ａ）のように排水案内部５ａの下端に垂下部６を形成してもよく、同図（Ｂ）のように垂下部６を省略することも可能である。
【００２１】
直線部材５１と隅部材５１，５２との連結は、例えば図３に示すように、両者の端部どうしを、止水パッキン２１等を介して重ね合わせ、防水テープ２０を張り付けて固定する手段や、接着剤を用いる手段等が考えられる。
【００２２】
なお直線部材５０は、構築する部屋の寸法に対応する所定長さのものを必要種類用意することも出来るが、長尺のものを一種類又は必要最少種類だけ用意し、現場にて部屋寸法に合わせて切断することも可能である。この場合、直線部材５０と隅部材５１（５２）との連結部分に形成される重ね合わせ領域を利用して、部屋の寸法誤差や多少の仕様変更に対応することができる。つまり、直線部材５０を製作する場合の寸法精度や、切断する場合の寸法精度があまり厳しく要求されないので、製作性・作業性が向上する。
【００２３】
前記防水材５は、立ち上げ部５ｂを下地壁面Ｗへ接着剤で取り付け、その上に、タイルパネル・金属パネル等の壁仕上げ材３を下地壁面Ｗの上に装着して、上記立ち上げ部５ｂが間に挟まれるようにする。他方、排水案内部５ａ下端の垂下部６を、防水床材１０の内側領域に位置するように設定する。
【００２４】
こうして構築した防水構造は、室内で使用した水や、下地壁面Ｗと壁仕上げ材３との間で結露等により発生した水が、防水床材１０の下方空間へ浸入するのを、防水材５で確実に阻止するから、防水床材１０の下方空間が多湿環境になったり、基礎１等の床面が濡れたりするのを防止できる。防水材５に、下り勾配を持った排水案内部５ａを形成すると共に、その下端に垂下部６を設けたので、防水材５上の水を、防水床材１０上へ確実に導くことが出来る。また排水案内部５ａの下方、すなわち防水床材１０の起立部１０ｂと下地壁面Ｗとの間の空間Ｓを配管等の器具設置用空間として利用することが可能である。
【００２５】
ところで本発明に係る防水構造は、下地壁面Ｗと壁仕上げ材３との間に隙間を設けない構成を採用するから、施工する浴室Ｙ等の空間容積を大きく設定できる。しかも、例えば部屋の搬入口が狭いために寸法の小さい防水床材しか使用できないときでも、壁仕上げ材３の位置を変更する必要がないから、構築される部屋Ｙの容積はほとんど縮小されることがなく、且つ、防水機能が損なわれることがない。
【００２６】
図４乃至図７に、防水材５を構成する直線部材５０と隅部材５１（５２）との連結構造に関する他の例を示す。図４は、防水テープ２０によって接合された直線部材５０の端部と隅部材５１（５２）との端部の重ね合わせ領域に、ほぼ鉛直方向に連通する縦排水路３０を設けた例を示すものである。本例では、隅部材５１側の端部に、図示するような連続する山形凸条から成る凹凸構造３１を設けることにより、直線部材５０側の端部との間に排水路３０が形成されるように設定した。なお凹凸構造３１は、隅部材５１（５２）側の端部に設けることが好ましい。なぜなら、直線部材５０は、現場にて寸法修正のため、端部が切断される可能性を有しているからである。従って、切断加工されるおそれのない場合は、凹凸構造３１を直線部材５０側の端部に設けることも妨げない。
【００２７】
図５に示すように、隅部材５１（５２）の端部に、溝構造を形成することにより、直線部材５０との間に縦排水路３０を設けることも可能である。
【００２８】
図６及び図７に示すように、直線部材５０と隅部材５１（５２）との間に連結材６０を介装し、両者を連結する構造も可能である。この場合、直線部材５０の端部、及び、隅部材５１（５２）の端部を、それぞれ連結材６０と防水テープ２０で接合することにより、両者は連結される。また、連結材６０に凹凸構造３１を形成した、直線部材５０及び隅部材５１（５２）との間に縦排水路３１を設けることが可能である。なお本例の如く、凹凸構造３１を連結材６０側に形成することにより、直線部材５０及び隅部材５１（５２）の端部構造を簡素にすることが可能である。
【００２９】
さらに図７に示す如く、直線部材５０の端部と隅部材５１（５２）の端部とを連結する連結材６１に、図示するような凹溝を形成することによって、縦排水路３０を設ける構成も考えられる。
【００３０】
本発明に係る防水構造は、図８に示すように、防水床材１０の周縁部に形成される起立部１０ｂに、下地壁面Ｗへ向かって昇り勾配となる傾斜面部１０ｃを設け、この傾斜面部１０ｃに、防水材５の排水案内部５ａを重ね合わせる構造とすることもできる。なお本例では、浴室Ｙを二階に施工する場合のように、躯体に固定したブラケット６により支持された梁などの床下地材７に、防水床材１０を設置する態様となっている。
【００３１】
また図９に示す如く、防水床材１０の起立部１０ｂ全体を、下地壁面Ｗへ向かって昇り勾配を有する傾斜面部とすることも可能である。
【００３２】
本例の如く、防水材５の排水案内部５ａを、防水床材１０の傾斜面部１０ｃ上に重ね合わせて取り付ける構成とすることにより、以下に述べるような利点が得られる。第一に、防水材５の荷重が防水床材１０によって支持されるから、取付状態が安定すると共に、両者を接着剤で固定する場合、接着面積を広く取れるので、堅固で経時変化に強い取付構造を構築できる。第二に、防水材５と防水床材１０との重ね合せ状態が維持される範囲内であれば、防水機能を損なうことなく、防水床材１０の配置を移動することが可能なので、防水床材１０の設置作業が容易になる。第三に、防水床材１０に傾斜面部１０ｃを設けたことにより、これを設置するだけで、下地壁面Ｗとの間に配管等の器具設置用空間Ｓが自動的に形成される。
【００３３】
防水材５の排水案内部５ａを防水床材１０に重ね合わせる場合、図１０に示すように、防水床材１０の起立部１０ｂに水平部１０ｄを形成し、この上に防水材５の下端側に水平に形成した排水案内部５ａを載置する構成も可能である。なお、図１０（Ａ）に示すように、防水材５の排水案内部５ａの先に垂下部６を形成して、防水材５上に落ちた水を防水床材１０へ導き易くするのが好ましいが、同図（Ｂ）に示す如く、上記垂下部は６省略してもよい。
【００３４】
本実施形態は、防水材５下端の排水案内部５ａが、防水床材１０の水平部１０ｄによって支持されるから、支持状態がきわめて安定する。また、防水材５及び防水床材１０に傾斜面部５ａ，１０ｃを形成する前記実施形態と比較して、水平状態で支持する本例は、部屋の空間容積が広くなる。しかも所望に応じ、防水床材１０によって支持される防水材５の水平な排水案内部５ａを、物品の載置台として利用する構成を採用可能である。
【図面の簡単な説明】
【００３５】
【図１】本発明に係る防水構造を適用して構築した部屋の一例を示すものであって、図（Ａ）は側面断面図、図（Ｂ）は防水材の配置状況を例示する平面図である。
【図２】本発明に係る防水材の実施形態に関するものであって、図（Ａ）は内隅部を示す要部の斜視図、図（Ｂ）は異なる態様の内隅部を示す要部の斜視図、図（Ｃ）は外隅部を示す要部の斜視図である。
【図３】本発明に係る防水材における直線部材と隅部材との連結構造の一例を示す平面断面図である。
【図４】本発明に係る防水材における直線部材と隅部材との連結構造の異なる例を示す平面断面図である。
【図５】本発明に係る防水材における直線部材と隅部材との連結構造のさらに異なる例を示す平面断面図である。
【図６】本発明に係る防水材における直線部材と隅部材との連結材を用いた連結構造の例を示す平面断面図である。
【図７】本発明に係る防水材における直線部材と隅部材との連結材を用いた連結構造の異なる例を示す平面断面図である。
【図８】本発明に係る防水構造を適用して構築した部屋の異なる例を示す側面断面図である。
【図９】本発明に係る防水構造を適用して構築した部屋のさらに異なる例を示す要部の側面断面図である。
【図１０】図（Ａ）（Ｂ）は共に、本発明に係る防水構造を適用して構築した部屋のさらに異なる例を示す要部の側面断面図である。
【符号の説明】
【００３６】
１…基礎  ２…壁下地材    ３…壁仕上げ材  ５…防水材  ５ａ…排水案内部  ５ｂ…立ち上げ  ６…垂下部    １０…防水床材  １０ａ…平坦部  １０ｂ…起立部  １０ｃ…傾斜面部  ５０…直線部材  ５１…内隅部材  ５２…外隅部材  Ｓ…器具設置用空間  Ｗ…下地壁面  Ｆ…床面  Ｙ…浴室
【図１】
2005240336.tif 000003
【図２】
2005240336.tif 000004
【図３】
2005240336.tif 000005
【図４】
2005240336.tif 000006
【図５】
2005240336.tif 000007
【図６】
2005240336.tif 000008
【図７】
2005240336.tif 000009
【図８】
2005240336.tif 000010
【図９】
2005240336.tif 000011
【図１０】
2005240336.tif 000012